(57)【要約】【課題】簡単な構造でありながら優れた防水性を有する外部端子接続部用キャップを提供する。【解決手段】側部開口部１８にケーブル８を通した状態で、ボルト４により導電部３の上端に外部端子５を接続した後、外部端子５と導電部３との接続部を接続部収容部１２で覆い、締め付け部１６を広げて端子台２の円筒状突条部１１の外周部に被せると共に、リップ部１５を端子台２の上面２ａに向けて押しつけながら押さえ部１７を外部端子５の張り出し部５ａの直下に嵌入させる。外部端子接続部用キャップの弾力性に起因して、リップ部１５が端子台２の上面２ａに押圧されると共に、締め付け部１６が端子台２の円筒状突条部１１の外周面に押圧され、外部端子５と導電部３との接続部に対する防水性が確保される。【選択図】図３
2009043685.tif 000002
【特許請求の範囲】
【請求項１】
端子台を貫通する導電部の上端に外部端子が接続され、前記端子台が前記導電部の外周部を覆う円筒状突条部と前記外部端子に対向する上面とを有し、前記外部端子が前記導電部の上端縁より外方へ延出する張り出し部を有する外部端子接続部を覆うキャップにおいて、
前記外部端子の張り出し部の下面に係合される押さえ部と、
前記端子台の円筒状突条部の外周面に押圧される締め付け部と、
前記端子台の上面に押圧されるリップ部と
を備えたことを特徴とする外部端子接続部用キャップ。
【請求項２】
前記押さえ部、前記締め付け部及び前記リップ部は、互いに同心円状に形成された請求項１に記載の外部端子接続部用キャップ。
【請求項３】
前記リップ部は、先端に向かうほど肉薄になるように形成されている請求項２に記載の外部端子接続部用キャップ。
【請求項４】
前記端子台は、前記円筒状突条部を囲むように形成された環状溝を有し、
前記リップ部は、前記端子台の前記環状溝内に収容される請求項２または３に記載の外部端子接続部用キャップ。
【請求項５】
前記押さえ部に対応する位置から外方へ向かって延出形成された着脱用つまみ部をさらに備えた請求項１〜４のいずれか一項に記載の外部端子接続部用キャップ。
【請求項６】
前記外部端子に接続されるケーブルの端部を収容する先細り形状のケーブル収容部をさらに備え、このケーブル収容部の先端にケーブルを通すための側部開口部が形成されている請求項１〜５のいずれか一項に記載の外部端子接続部用キャップ。
【発明の詳細な説明】
【技術分野】
【０００１】
この発明は、外部端子接続部用キャップに係り、特に外部端子の接続部を覆うキャップの防水性の向上に関する。
【背景技術】
【０００２】
従来から、図６に示されるような端子接続部が知られている。電子機器のケーシング等からなる取り付け部１に取り付けられた樹脂製の端子台２を導電部３が貫通し、導電部３の上端にボルト４を用いて外部端子５が接続されると共に、導電部３の下端にボルト６を用いて内部端子７が接続されている。これにより、取り付け部１の外側において外部端子５に接続されているケーブル８と取り付け部１の内側において内部端子７に接続されているケーブル９とが導電部３を介して互いに電気的に接続される。
このとき、外部端子５は取り付け部１の外側に配設されることから、例えば取り付け部１が作業車両等において周辺雰囲気中に露出した状態に設置されている場合には、外部端子５と導電部３との接続部が風雨に晒されることとなる。
【０００３】
そこで、外部端子５と導電部３との接続部を防水する目的で、この接続部を覆うキャップ１０が用いられることがある。キャップ１０は、弾力性のあるゴム等の材質から形成され、導電部３の外周部に配された端子台２の円筒状突条部１１を通す底面開口部１０ａと、外部端子５に接続されたケーブル８を通す側部開口部１０ｂとを有している。
このキャップ１０においては、底面開口部１０ａ及び側部開口部１０ｂが、それぞれ円筒状突条部１１及びケーブル８に対して締め付け力を有することにより、防水性を確保しようとしているが、例えば作業車両等を洗浄するために高圧水を供給すると、端子台２との境界部等からキャップ１０の内部へ水が浸入するおそれがあった。
【０００４】
また、例えば特許文献１には、互いに並設されたバッテリのバッテリポスト間を接続する接続端子用のカバーが開示されている。接続端子は、帯状の編組電線の両端にそれぞれ金属板を巻き付けた接続体を固着したもので、カバーは、接続端子の両端の接続体をそれぞれ収容する一対の筒部と、これら筒部の間に設けられ且つ接続端子の編組電線を収容するチューブ部とを有している。接続端子にカバーを取り付け、双方の接続体に形成された貫通孔に対応するバッテリポストを通し、カバーの筒部の上側開口からナットをバッテリポストに螺合させることにより接続体をバッテリポストに固定する。
【０００５】
【特許文献１】特開平１１−１６７９１１号公報
【発明の開示】
【発明が解決しようとする課題】
【０００６】
特許文献１のカバーでは、ナットをバッテリポストに螺合させることで筒部の下端部がバッテリの上面に押しつけられて密着するが、ナットを操作する必要があるために、筒部の上部が開口している。このため、筒部の上側開口に蓋体を嵌め込んで防水性を確保しなければならず、部品点数が多くなって構造が複雑になると共に、蓋体と筒部とが別体であるので、これらの間で防水性が損なわれるおそれがある。
【０００７】
この発明はこのような問題点を解消するためになされたもので、簡単な構造でありながら優れた防水性を有する外部端子接続部用キャップを提供することを目的とする。
【課題を解決するための手段】
【０００８】
この発明に係る外部端子接続部用キャップは、端子台を貫通する導電部の上端に外部端子が接続され、端子台が導電部の外周部を覆う円筒状突条部と外部端子に対向する上面とを有し、外部端子が導電部の上端縁より外方へ延出する張り出し部を有する外部端子接続部を覆うキャップにおいて、外部端子の張り出し部の下面に係合される押さえ部と、端子台の円筒状突条部の外周面に押圧される締め付け部と、端子台の上面に押圧されるリップ部とを備えたものである。
【０００９】
好ましくは、押さえ部、締め付け部及びリップ部が、互いに同心円状に形成されている。さらに、リップ部は、先端に向かうほど肉薄になるように形成されることが好ましい。また、端子台が、円筒状突条部を囲むように形成された環状溝を有し、リップ部が、端子台の環状溝内に収容されるように構成することもできる。
押さえ部に対応する位置から外方へ向かって延出形成された着脱用つまみ部をさらに備えることが好ましい。
外部端子に接続されるケーブルの端部を収容する先細り形状のケーブル収容部をさらに備え、このケーブル収容部の先端にケーブルを通すための側部開口部を形成することができる。
【発明の効果】
【００１０】
この発明によれば、押さえ部が外部端子の張り出し部の下面に係合され、締め付け部が端子台の円筒状突条部の外周面に押圧され、リップ部が端子台の上面に押圧されるので、簡単な構造でありながら優れた防水性を確保することが可能となる。
【発明を実施するための最良の形態】
【００１１】
以下、この発明の実施の形態を添付図面に基づいて説明する。
実施の形態１
図１及び図２にこの発明の実施の形態１に係る外部端子接続部用キャップの外観形状を示す。外部端子接続部用キャップは、弾力性のあるゴム、樹脂等の材質から形成されており、ほぼドーム形状の接続部収容部１２と、この接続部収容部１２に連通するほぼ円筒形のケーブル収容部１３とを有している。
【００１２】
接続部収容部１２の下端に底面開口部１４が形成され、底面開口部１４の周縁に、外方へ突出するリップ部１５が形成されている。さらに、リップ部１５に隣接する接続部収容部１２の内周面上に締め付け部１６が画成され、締め付け部１６の上側に内方へ突出する押さえ部１７が形成されている。これらリップ部１５、締め付け部１６及び押さえ部１７は、互いに同心円状に形成されている。
ケーブル収容部１３は、接続部収容部１２とは反対方向に向かって先細り形状を有しており、その先端に側部開口部１８が形成されている。
さらに、接続部収容部１２の外周面上には、外方へ向かって延出された着脱用つまみ部１９が形成されている。
【００１３】
この外部端子接続部用キャップを図６に示した構造の端子接続部に装着した状態が図３に示されている。すなわち、端子接続部は、電子機器のケーシング等からなる取り付け部１に取り付けられた樹脂製の端子台２と、取り付け部１の外側から内側に至るように端子台２を貫通する導電部３とを有しており、導電部３の上端にボルト４を用いて外部端子５が接続されると共に、導電部３の下端にボルト６を用いて内部端子７が接続されている。これにより、取り付け部１の外側において外部端子５に接続されているケーブル８と取り付け部１の内側において内部端子７に接続されているケーブル９とが導電部３を介して互いに電気的に接続されている。
【００１４】
取り付け部１の外側に位置する外部端子５と導電部３との接続部が外部端子接続部用キャップの接続部収容部１２で覆われ、外部端子５に接続されたケーブル８が外部端子接続部用キャップの側部開口部１８に通されている。
図４に示されるように、外部端子５は導電部３の上端縁より外方へ延出する張り出し部５ａを有しており、接続部収容部１２の押さえ部１７が外部端子５の張り出し部５ａの直下に嵌入している。さらに、接続部収容部１２の締め付け部１６が導電部３の外周部に配された端子台２の円筒状突条部１１の外周面に対向し、リップ部１５が端子台２の上面２ａの上に位置している。
【００１５】
ここで、外部端子接続部用キャップは、予め、弾力性のある材質により、リップ部１５の先端から押さえ部１７の上面までの高さが端子台２の上面２ａから外部端子５の張り出し部５ａの下面までの高さより所定量だけ大きく、且つ、締め付け部１６における接続部収容部１２の内径が端子台２の円筒状突条部１１の外径より所定量だけ小さく製造されている。
このため、図４のように外部端子接続部用キャップが端子接続部に装着されたときには、外部端子接続部用キャップの弾力性に起因して、押さえ部１７の上面が外部端子５の張り出し部５ａの下面に係合されることによりリップ部１５が端子台２の上面２ａに押圧されると共に、締め付け部１６が端子台２の円筒状突条部１１の外周面に押圧されることとなる。
【００１６】
これにより、外部端子５と導電部３との接続部に対して優れた防水性を確保することができる。すなわち、例えば洗浄等の目的で高圧水を供給しても、外部端子接続部用キャップと端子台２との境界部であるリップ部１５の先端が端子台２の上面２ａに押圧されているため、端子台２の上面２ａに沿ってリップ部１５の下部を通り、円筒状突条部１１の方向へ水が浸入することが防止される。たとえリップ部１５の下部を通って水が浸入したとしても、外部端子接続部用キャップの締め付け部１６が端子台２の円筒状突条部１１の外周面に押圧されているため、円筒状突条部１１の外周面に沿って導電部３及び外部端子５にまで水が浸入することが防止される。
【００１７】
これらリップ部１５及び締め付け部１６は、互いに同心円状に環状に形成されているため、端子台２の円筒状突条部１１の全周にわたって同様の防水効果が得られる。
さらに、図４に示されるように、リップ部１５は、先端に向かうほど肉薄になるように形成されているので、リップ部１５の先端に高圧水が衝突する圧力でリップ部１５がめくれ上がるおそれが少なく、防水効果がより一層向上する。
【００１８】
また、外部端子接続部用キャップの側部開口部１８は、予め、外部端子５に接続されたケーブル８の径よりわずかに小さい内径を有するように形成されており、このため、側部開口部１８にケーブル８を通したときに、側部開口部１８の内周面がケーブル８に対して締め付け力を有するように構成されている。これにより、側部開口部１８を通って外部端子接続部用キャップ内に水が浸入することが防止されている。
【００１９】
このような外部端子接続部用キャップを装着する際には、側部開口部１８にケーブル８を通した状態で、ボルト４により導電部３の上端に外部端子５を接続した後、外部端子５と導電部３との接続部を接続部収容部１２で覆い、締め付け部１６を広げて端子台２の円筒状突条部１１の外周部に被せると共に、リップ部１５を端子台２の上面２ａに向けて押しつけながら押さえ部１７を外部端子５の張り出し部５ａの直下に嵌入させればよい。
このとき、図３及び図４に示されるように、接続部収容部１２の外周面上には、押さえ部１７に対応する位置から外方へ向かって着脱用つまみ部１９が延出形成されているため、この着脱用つまみ部１９を引っ張ることで締め付け部１６及び押さえ部１７を広げて、容易に外部端子接続部用キャップの装着を行うことができる。
また、メンテナンス等のために外部端子接続部用キャップを取り外す際には、着脱用つまみ部１９を引っ張りながら持ち上げることにより、押さえ部１７を外部端子５の張り出し部５ａの下面から外して外部端子５と導電部３との接続部を露出させればよい。
【００２０】
実施の形態２
図５に、実施の形態２に係る外部端子接続部用キャップの要部を示す。この実施の形態２は、図４に示される実施の形態１のキャップにおいて、円筒状突条部１１を囲むように端子台２の上面２ａに形成された環状溝２０の内部にリップ部１５の先端を収容したものである。
このような構成にすれば、リップ部１５の先端が環状溝２０の内部に位置するので、例えば高圧水を供給したときに、リップ部１５の先端に高圧水が衝突してリップ部１５がめくれ上がるおそれが極めて少なくなる。このため、さらに防水性の向上を図ることが可能となる。
【００２１】
この発明は、図３に示した構造の端子接続部に限らず、端子台を貫通する導電部の上端に接続された外部端子が導電部の上端縁より外方へ延出する張り出し部を有し、端子台が導電部の外周部を覆う円筒状突条部と外部端子に対向する上面とを有するような構造の外部端子接続部に広く適用することができる。
また、電源供給のための端子接続部、信号伝送のための端子接続部等、各種の端子接続部への適用が可能である。
【図面の簡単な説明】
【００２２】
【図１】実施の形態１に係る外部端子接続部用キャップを斜め下方から見た斜視図である。
【図２】実施の形態１に係る外部端子接続部用キャップを斜め上方から見た斜視図である。
【図３】外部端子接続部に装着された実施の形態１の外部端子接続部用キャップを示す断面図である。
【図４】図１の要部拡大断面図である。
【図５】実施の形態２に係る外部端子接続部用キャップの要部拡大断面図である。
【図６】外部端子接続部に装着された従来の外部端子接続部用キャップを示す断面図である。
【符号の説明】
【００２３】
１  取り付け部、２  端子台、３  導電部、４，６  ボルト、５  外部端子、７  内部端子、８，９  ケーブル、１１  円筒状突条部、１２  接続部収容部、１３  ケーブル収容部、１４  底面開口部、１５  リップ部、１６  締め付け部、１７  押さえ部、１８  側部開口部、１９  着脱用つまみ部、２０  環状溝、２ａ  上面、５ａ  張り出し部。
【図１】
2009043685.tif 000003
【図２】
2009043685.tif 000004
【図３】
2009043685.tif 000005
【図４】
2009043685.tif 000006
【図５】
2009043685.tif 000007
【図６】
2009043685.tif 000008